【事件の表示】
　特許第２８５１３１４号に関する訂正審判事件について、次のとおり審決する。
【結　論】
　特許第２８５１３１４号に係る明細書及び図面を本件審判請求書に添付された訂正明細書及び図面のとおり訂正することを認める。
【理　由】
１．手続の経緯
　本件特許第2851314号の特許請求の範囲の請求項1〜3に係る発明は、平成1年8月15日に特許出願（特願平1-210393号）され、平成10年11月13日に設定登録され、平成13年1月22日に訂正審判の請求がなされたものである。
２．訂正の内容について
　本件訂正審判により請求された訂正事項ａ〜ｉは、審判請求書に記載された次のとおりのものである。
　訂正事項ａ
　特許明細書の特許請求の範囲の請求項1の記載の「設けられた液晶表示画素と」（第１欄第３行〜第４行）を、「設けられた正負の電圧で駆動される液晶表示画素容量ＣＬＣを有する液晶表示画素と」と訂正する。
　訂正事項ｂ
　特許明細書の特許請求の範囲の請求項1に記載の「液晶表示画素と少なくとも１つの」（第１欄第４行）を、「液晶表示画素と該液晶表示画素に正負の電圧を書き込む少なくとも１つの」と訂正する。
　訂正事項ｃ
　特許明細書の特許請求の範囲の請求項1に記載の「少なくとも１つの２端子型スイッチング素子とを有し、」（第１欄第４行〜第５行）を、「少なくとも１つの２端子型スイッチング素子容量ＣＳＷを有する２端子型スイッチング素子とを有し、」と訂正する。
　訂正事項ｄ
　特許明細書の特許請求の範囲の請求項1に記載の「であり、該走査信号は」（第１欄第９行〜第１０行）を、「であり、行毎反転法による駆動回路の動作電圧を走査信号の書き込み電圧の極性に応じて変動する最大電圧と最小電圧の差に設定して動作させ前記駆動回路の該走査信号は」と訂正する。
　訂正事項ｅ
　特許明細書の特許請求の範囲の請求項1に記載の「正負の書き込み電圧をとる書き込み区間」（第１欄第１０行）を、「正負の書き込み電圧をとる正負の書き込み区間」と訂正する。
　訂正事項ｆ
　特許明細書の特許請求の範囲の請求項1に記載の「該書き込み区間の前には」（第１欄第１２行）を、「該走査信号の書き込み区間の前には」と訂正する。
　訂正事項ｇ
　特許明細書の特許請求の範囲の請求項1に記載の「リセット区間を有する事を特徴とする」（第１欄第１４行〜第１５行）を、「リセット区間を有し前記走査信号のリセット区間の電圧と前記書き込み区間の電圧の変動分に対し前記液晶表示画素容量と前記２端子型スイッチング素子容量の間の点における書き込み区間の最初の電圧はリセット区間の最終電圧から前記液晶表示画素容量と前記２端子型スイッチング素子容量の容量比の割合に応じて変化する電圧とし、前記書き込み区間の２端子型スイッチング素子に印加される電圧を大きくしたことを特徴とする」と訂正する。
　訂正事項ｈ
　特許明細書の特許請求の範囲の請求項3の記載を、
「【請求項3】　マトリクス配置されたデータ線及び走査線と、該データ線及び走査線の交点に対応して設けられた正負の電圧で駆動される液晶表示画素と該液晶表示画素に正負の電圧を書き込む少なくとも１つの２端子型スイッチング素子とを有し、前記走査線に印加される走査信号と前記データ線に印加されるデータ信号により液晶表示画素が駆動される２端子型アクティブマトリクス液晶表示装置の駆動方法に於て、２端子型スイッチング素子は非線形抵抗素子であり、該走査信号は正負の書き込み電圧をとる正負の書き込み区間を有し、該走査信号の書き込み区間の前には該書き込み電圧とは逆極性で且つ前記書き込み電圧の絶対値と等しいか前記書き込み電圧以上の大きさの絶対値の電圧のリセット区間を有する事を特徴とする２端子型アクティブマトリクス液晶表示装置の駆動方法であって、２端子型スイッチング素子の静電容量は表示画素の静電容量の３分の１より大きい事を特徴とする２端子型アクティブマトリクス液晶表示装置の駆動方法。」と訂正する。
　訂正事項ｉ
　特許明細書第４欄第２１行〜第２８行の「【課題を解決するための手段】　本発明は走査信号に工夫を加える事により、従来における２端子型アクティブマトリクス液晶表示装置の駆動方法を改善している。即ち、書き込み区間の前にはこの書き込み電圧とは逆極性で且つ書き込み電圧の絶対値と等しいか書き込み電圧以上の大きさの絶対値の電圧のリセット電圧をとるリセット区間を設けた走査信号を用いる事を特徴としている。」を、
「【課題を解決するための手段】
　本発明は走査信号に工夫を加える事により、従来における２端子型アクティブマトリクス液晶表示装置の駆動方法を改善している。即ち、２端子型スイッチング素子は非線形抵抗素子であり、行毎反転法による駆動回路の動作電圧を走査信号の書き込み電圧の極性に応じて変動する最大電圧と最小電圧の差に設定して動作させ前記駆動回路の該走査信号は正負の書き込み電圧をとる正負の書き込み区間を有し、該走査信号の書き込み区間の前には該書き込み電圧とは逆極性で且つ前記書き込み電圧の絶対値と等しいか前記書き込み電圧以上の大きさの絶対値の電圧のリセット区間を有し前記走査信号のリセット区間の電圧と前記書き込み区間の電圧の変動分に対し前記液晶表示画素容量と前記２端子型スイッチング素子容量の間の点における書き込み区間の最初の電圧はリセット区間の最終電圧から前記液晶表示画素容量と前記２端子型スイッチング素子容量の容量比の割合に応じて変化する電圧とし、前記書き込み区間の２端子型スイッチング素子に印加される電圧を大きくしたことを特徴としている。」と訂正する。
３．訂正の目的の適否、新規事項の追加及び拡張・変更の有無について
　訂正事項ａについて
　訂正事項ａの「正負の電圧で駆動される」は、特許明細書第３欄第２３行〜第２９行及び第３欄第３３行〜第４２行に記載の「Ｃ１，Ｃ２，Ｃ３はデータ線５，Ｒ１，Ｒ２，Ｒ３は走査線６であり、そのデータ線５と走査線６の交点に対応して液晶表示画素１０と二端子スイッチング素子であるＭＩＭ３０が配置されている。」、及び「走査信号φ１について見ると、正の書き込み区間でＴＷ１では正の書き込み電圧ＶＷ１が負の書き込み区間ＴＷ２では負の書き込み電圧ＶＷ２が、…」に基づいている。
　訂正事項ａの「液晶表示画素容量ＣＬＣを有する液晶表示画素と」は、特許明細書第３欄第４９行に記載の「ＣＬＣ；液晶表示画素容量」との記載に基づくものである。
　訂正事項ｂについて
　訂正事項ｂの「該液晶表示画素に正負の電圧を書き込む」は、特許明細書第３欄第２３行〜第２９行及び特許明細書第３欄第３３行〜第４２行に記載の「Ｃ１，Ｃ２，Ｃ３はデータ線５，Ｒ１，Ｒ２，Ｒ３は走査線６であり、そのデータ線５と走査線６の交点に対応して液晶表示画素１０と二端子スイッチング素子であるＭＩＭ３０が配置されている。」及び「走査信号φ１について見ると、正の書き込み区間でＴＷ１では正の書き込み電圧ＶＷ１が負の書き込み区間ＴＷ２では負の書き込み電圧ＴＷ２が、…」との記載に基づいている。
　訂正事項ｃについて
　訂正事項ｃの「２端子型スイッチング素子容量ＣＳＷを有する２端子型スイッチング素子」は、特許明細書第３欄第４８行に記載の「ＣＳＷ；２端子型スイッチング素子容量」との記載に基づいている。
　訂正事項ｄについて
　訂正事項ｄの「であり、行毎反転法による駆動回路の動作電圧を走査信号の書き込み電圧の極性に応じて変動する最大電圧と最小電圧の差に設定して動作させ前記駆動回路の該走査信号は」は、特許明細書第４欄第４９行〜第５欄第１３行に記載の「第７図は本発明の他の実施例の走査信号である。
　第１図Ｚは第１図の実施例の走査信号群の各タイミングでの最大電圧１１と最小電圧１２を示している。本実施例ではいわゆる行毎反転法を用いているため、走査信号の書き込み電圧の極性に応じて最大電圧１１、最小電圧１２が変動する。書き込み電圧が正のタイミングでは最大電圧と最小電圧の差はＶＲ２−ＶＨ２、負のタイミングではＶＨ１−ＶＲ１となる。駆動回路の動作電圧を節約するには、駆動回路の動作電圧をこの最大電圧と最小電圧の差、ここではＶＲ２−ＶＨ２（ＶＨ１−ＶＲ１）に設定できる事が公知である。そのためにはこの２つのタイミング間電圧差ＶＲ２−ＶＨ１（ＶＨ２−ＶＲ１）を持つ信号（第７図Ｘ）を第１図の走査信号から差し引けば第７図の走査信号φ１＊＊、φ２＊＊、φ３＊＊となり、動作電圧がＶＲ２−ＶＨ１（ＶＨ２−ＶＲ１）の分だけ節約出来る。」との記載に基づいている。
　訂正事項ｅについて
　訂正事項ｅの「正負の書き込み電圧をとる正負の書き込み区間」は、特許明細書第４欄第３６行〜同欄第４０行に記載の「走査信号φ１＊について見ると、正の書き込み区間ＴＷ１では正の書き込み電圧ＶＷ１が負の書き込み区間ＴＷ２では負の書き込み電圧ＶＷ２が、…」との記載に基づいている。
　訂正事項ｆについて
　訂正事項ｆの「該走査信号の書き込み区間の前には」との内容は、特許明細書第４欄第４１行〜第４８行に記載の「本発明の走査信号の特徴は書き込み区間の前に…」との記載に基づいている。
　訂正事項ｇについて
　訂正事項ｇの「前記走査信号のリセット区間の電圧と前記書き込み区間の電圧の変動分に対し」は、特許明細書第４欄第３４行〜第４８行に記載の「本発明の走査信号の特徴は書き込み区間の前にこの書き込み電圧とは逆極性で且つ書き込み電圧の絶対値と等しいかそれ以上の大きさの絶対値の電圧のリセット電圧をとるリセット区間を設けた事にある。」に基づいている。
　訂正事項ｇの「変動」は、特許明細書第５欄第２行〜同欄第４行に記載の「走査信号の書き込み電圧の極性に応じて最大電圧１１、最小電圧１２が変動する。」との記載に基づいている。
　訂正事項ｇの「前記液晶表示画素容量と前記２端子型スイッチング素子容量の間の点における書き込み区間の最初の電圧は」は、特許明細書第６欄第６行〜同欄第２０行に記載の「リセット区間で電流が液晶表示画素に注入され最後にはＶｃ＊となる。書き込みＴＷ１でデータ信号がＯＦＦの時には液晶表示画素に印加される電圧はＶｄ２＊、ＯＮの時にはＶｄｌ＊となる。」との記載に基づいている。
　訂正事項ｇの「リセット区間の最終電圧から」は、特許明細書第６欄第１１行〜同頁第１２行に記載の「リセット区間で電流が液晶表示画素に注入され最後にはＶｃ＊となる。」との記載に基づいている。
　訂正事項ｇの「前記液晶表示画素容量と前記２端子型スイッチング素子容量の容量比の割合に応じて変化する電圧とし、」は、特許明細書第５欄第２９行〜同頁第３６行に記載の「このように容量比が十分に取れていない場合には本来ならば２端子型スイッチング素子に印加される電圧ＶＷ１＋ＶＤ（ＯＦＦ）−ＶａがＣＬＣ／（Ｃｓｗ＋ＣＬＣ）の割合でしか印加されない。」との記載に基づいている。
　訂正事項ｇの「前記書き込み区間の２端子型スイッチング素子に印加される電圧を大きくした」は、特許明細書第６欄第１８行〜第１９行に記載の「この結果書き込み区間に２端子型スイッチング素子に印加される電圧が大きくなる。」との記載に基づいている。
　訂正事項ｈについて
　請求項3の引用形式の記載を請求項1を引用しない独立形式の記載としたものである。
　訂正事項ｉについて
　訂正事項ｉは、本件特許明細書の課題を解決するための手段の記載を、上記訂正事項ａ〜ｇに整合させるものであり、新規事項の追加に該当せず、実質的に特許請求の範囲を拡張又は変更するものではない。
　以上のとおり、上記訂正事項ａ〜ｉは、特許請求の範囲の減縮及び明りょうでない記載の釈明に該当し、新規事項の追加に該当せず、実質的に特許請求の範囲を拡張又は変更するものではない。
４．独立特許要件について
　ア．訂正発明
　訂正明細書の特許請求の範囲の請求項1及び2に係る発明(以下、訂正発明1及び2という。)は次のとおりのものである。
「【請求項1】　マトリクス配置されたデータ線及び走査線と、該データ線及び走査線の交点に対応して設けられた正負の電圧で駆動される液晶表示画素容量ＣＬＣを有する液晶表示画素と該液晶表示画素に正負の電圧を書き込む少なくとも１つの２端子型スイッチング素子容量ＣＳＷを有する２端子型スイッチング素子とを有し、前記走査線に印加される走査信号と前記データ線に印加されるデータ信号により液晶表示画素が駆動される２端子型アクティブマトリクス液晶表示装置の駆動方法に於て、
　２端子型スイッチング素子は非線形抵抗素子であり、行毎反転法による駆動回路の動作電圧を走査信号の書き込み電圧の極性に応じて変動する最大電圧と最小電圧の差に設定して動作させ前記駆動回路の該走査信号は正負の書き込み電圧をとる正負の書き込み区間を有し、該走査信号の書き込み区間の前には該書き込み電圧とは逆極性で且つ前記書き込み電圧の絶対値と等しいか前記書き込み電圧以上の大きさの絶対値の電圧のリセット区間を有し前記走査信号のリセット区間の電圧と前記書き込み区間の電圧の変動分に対し前記液晶表示画素容量と前記２端子型スイッチング素子容量の間の点における書き込み区間の最初の電圧はリセット区間の最終電圧から前記液晶表示画素容量と前記２端子型スイッチング素子容量の容量比の割合に応じて変化する電圧とし、前記書き込み区間の２端子型スイッチング素子に印加される電圧を大きくしたことを特徴とする２端子型アクティブマトリクス液晶表示装置の駆動方法。
　【請求項2】　２端子型スイッチング素子はＭＩＭ素子である事を特徴とする請求項１記載の２端子型アクティブマトリクス液晶表示装置の駆動方法。
」
　イ．引用刊行物
　取消理由に引用した刊行物1（特開昭60-120399号公報)には、その第2頁左上欄7行〜第14行には、
「第2図の単位画素にて6は走査電極線である。7は信号電極線である。8は二端子素子であるMIMダイオード、9は電気光学素子である液晶層、および表示電極で構成される表示画素コンデンサである。…実線が走査電極信号波形、点線が信号電極信号波形である。」と記載されている。
  また、その第2頁右上欄第18行〜同頁左下欄第7行には、
「第４図を用いて説明する。書込み期間Wおよびその前後の保持期間H1、H2を示す。
　縦軸は表示画素コンデンサ9の両端の電圧である。横軸は時間である。18は保持期間H1でオフ表示の時、19はオン表示の時の表示画素コンデンサ9の両端の電圧である。22は書込み期間Wでオン表示に対応する電荷を書込んだ時の保持期間H2での電圧、20、21はオフ表示を書込んだ時の電圧である。オン表示を書込んだ時は、保持期間H1で表示がオン18、オフ19のいずれの場合も、書込み後の電圧は22となる。
　すなわち書込み期間前の表示状態に依存せずオン表示電圧22を得る。一方オフ表示を書込み期間Wで書き込んだ場合は、保持期間H1でオフ表示の場合18は電圧20となり、保持期間H2でオン表示の場合19は、電圧21となる。
　すなわち保持期間H2でのオフ表示の場合の電圧は20と21で示すように、書込み期間前の表示状態に依存する。これは表示信頼性の低下、コントラスト比の低下等表示品質の低下をもたらす。」と記載されている。
　更にまた、その第3頁左上欄第6行〜第3頁右上欄第4行には、
「第6図に本発明による駆動信号波形を示す。第6図の実線は走査電極信号波形、点線が信号電極信号波形である。駆動信号波形は3つの期間で構成される。従来例と同様の書き込み期間Wと保持期間Hおよび本発明で付加した電荷調整期間Rである。走査電極線には、書き込み期間には選択信号29、32、35を、保持期間には保持信号30、33を従来どうり印加する。信号電極には、画素がオン表示の時にはオン信号35、36、37を印加し、画素がオフ表示の時には、オフ信号38、39、40を従来どうり印加する。新たに電荷調整期間Rでは走査電極線に電荷調整選択信号28,31,34を印加し、信号電極線には電荷調整信号41を印加する。電荷調整期間Rにて、表示画素コンデンサに蓄えられた電荷と同符号の電荷を該コンデンサに注入し、電荷量を増す。電荷調整信号41の電位は、電荷量を増す電位ならばいずれでもよいが、駆動回路の簡便性、電荷注入効率の観点からオン信号が望ましい。」と記載されている。
　同じく刊行物2（特開昭60-201325号公報）には、その第3頁左下欄第14行〜第16行には、
「即ち、本発明は交差した走査電極群と信号電極群の交差部を画素としたマトリクス電極構造の各画素に対応した非線型素子を有し、」と記載されている。
　また、その第4頁右下欄第13行〜第14行には、
「非線型素子としてMIM構造を用いた例で示したものである。」と記載されている。
　更にまた、その第5頁右上欄第3行〜同頁左下欄第16行には、
「第6図は、第1の駆動実施例であり、S1〜S5は各走査電極に加えられる電気信号を、Ｉ1Ｉ5は、各信号電極に加えられる上方に応じた電気信号を、Ａ、Ｃはそれぞれの画素に加えられる電圧（即ち、非線型素子と液晶に印加される電圧の和）を示したものである。図より明らかな如く、全走査電極には最初に3Ｖｏのパルス電圧が印加される。
　　　　　　　　・・・略・・・
　かつ液晶層に高圧が付加されることはなく、Ａは「黒」Ｃは「白」に対応した表示が達成される。」と記載されている。
　同じく刊行物3（特開昭64-33534号公報）には、その第4頁左上欄第11行〜同頁右上欄第3行には、
「本発明の表示装置の駆動方法は、少なくとも1個の非線形スイッチング素子を含む第1の枝路を画素電極と行又は列電極との間に接続すると共に、各画素毎に、前記第1の枝路の非線形スイッチング素子と逆並列に接続された少なくとも1個の非線形スイッチング素子を含む第 2 の枝路を画素電極と行又は列電極との間に配置しデータ信号を供給する前に、1行の画素を前記第１の枝路により画素を表示すべき電圧レンジを越える又はその限界値に等しい電圧に充電又は放電させ、次いでこれらの画素を前記逆並列接続スイッチング素子を経て正しい値に放電又は充電させること特徴とする。」と記載されている。
　また、その第4頁左下欄17行〜第19行には、
「複数行の画素12にフィールド毎に極性が変化する画素情報…を書き込むための駆動信号を示す」と記載されている。
　更にまた、その第7頁右下欄第1行〜第6行には、
「特にダイオードの直列配置・・・がリセット電圧により放電される・・・ような電流/電圧特性を有するMIM素子と置き換えることができる」と記載されている。
　ウ．対比・判断
　(1)訂正発明1及び2について
　訂正発明1及び2の「行毎反転法による駆動回路の動作電圧を走査信号の書き込み電圧の極性に応じて変動する最大電圧と最小電圧の差に設定して動作させ前記駆動回路の該走査信号は正負の書き込み電圧をとる正負の書き込み区間を有し、該走査信号の書き込み区間の前には該書き込み電圧とは逆極性で且つ前記書き込み電圧の絶対値と等しいか前記書き込み電圧以上の大きさの絶対値の電圧のリセット区間を有し前記走査信号のリセット区間の電圧と前記書き込み区間の電圧の変動分に対し前記液晶表示画素容量と前記２端子型スイッチング素子容量の間の点における書き込み区間の最初の電圧はリセット区間の最終電圧から前記液晶表示画素容量と前記２端子型スイッチング素子容量の容量比の割合に応じて変化する電圧とし、前記書き込み区間の２端子型スイッチング素子に印加される電圧を大きくする」ことは、上記刊行物1〜3に記載も示唆もされておらず、当業者に周知又は自明の事項でもない。
　そして、訂正発明1及び2は、「行毎反転法による駆動回路の動作電圧を走査信号の書き込み電圧の極性に応じて変動する最大電圧と最小電圧の差に設定して動作させ前記駆動回路の該走査信号は正負の書き込み電圧をとる正負の書き込み区間を有し、該走査信号の書き込み区間の前には該書き込み電圧とは逆極性で且つ前記書き込み電圧の絶対値と等しいか前記書き込み電圧以上の大きさの絶対値の電圧のリセット区間を有し前記走査信号のリセット区間の電圧と前記書き込み区間の電圧の変動分に対し前記液晶表示画素容量と前記２端子型スイッチング素子容量の間の点における書き込み区間の最初の電圧はリセット区間の最終電圧から前記液晶表示画素容量と前記２端子型スイッチング素子容量の容量比の割合に応じて変化する電圧とし、前記書き込み区間の２端子型スイッチング素子に印加される電圧を大きくする」ことにより、スイッチング素子の液晶表示画素の駆動能力を大きくすることができると共に、駆動回路の動作電圧を節約することができるという作用効果を呈するものである。
　したがって、訂正発明1及び2は、上記刊行物1〜3に記載の発明に基づいて当業者が容易に発明をすることができたものとすることができない。
　(2)訂正発明3について
　訂正発明3は、引用形式から独立形式に記載形式を訂正したものであるから、独立特許要件の判断を要さないものである。
　エ．むすび
　したがって、訂正発明1〜3は、特許法第29条第2項の規定により特許出願の際独立して特許を受けることができないものとすることができない。
５．むすび
　以上のとおりであるから、本件訂正審判の請求は、特許法第126条第1項ただし書き第1号〜第3号に掲げる事項を目的とし、かつ、同法同条第2項〜第4項の規定に適合する。
　よって、結論のとおり審決する。